(57)【要約】【課題】受信局において任意のタイミングで、デジタル放送信号をＭＰＥＧ−２  ＴＳ信号レベルでの差し替えを行うことができる処理装置及び処理プログラムを提供する。【解決手段】１のデジタル放送信号から他のデジタル放送信号に差し替える際に、当該他のデジタル放送信号ストリームに含まれる画像フレームであって復号時に前記差し替え前の画像フレームを参照する画像フレームを出力信号から除去して差替処理を行うストリーム差替手段を有することを特徴とするデジタル放送信号処理装置。【選択図】図６
2010135990.tif 000002
【特許請求の範囲】
【請求項１】
入力された異なる２以上の符号化されたデジタル放送信号ストリームを部分的に差し替えて１ストリームのデジタル放送信号として出力するデジタル放送信号処理装置であって、
１つのデジタル放送信号ストリームから他のデジタル放送信号ストリームに差し替える際に、当該他のデジタル放送信号ストリームに含まれる画像フレームであって復号時に前記差し替え前のストリーム位置の画像フレームを参照する画像フレームを出力信号から除去して差し替え処理を行うストリーム差替処理手段を有することを特徴とするデジタル放送信号処理装置。
【請求項２】
前記ストリーム差替処理手段により差し替え処理がされたデジタル放送信号中の前記１のデジタル放送信号に対して、当該デジタル放送信号に付加された時刻情報を前記他のデジタル放送信号の時刻情報と同一様式の時刻情報に変換する時刻情報変換処理手段を有することを特徴とする請求項１に記載のデジタル放送信号処理装置。
【請求項３】
入力された各デジタル放送信号にパケット単位でタイムスタンプを付加するタイムスタンプ付加処理部と、
前記ストリーム差替処理手段により差し替え処理がされたデジタル放送信号に対して、当該デジタル放送信号の各パケットに付加されたタイムスタンプに基づいて各パケットの時間的配置を調整するパケット再配置処理手段とを有することを特徴とする請求項１又は２に記載のデジタル放送信号処理装置。
【請求項４】
異なる２以上の符号化されたデジタル放送信号ストリームを受信する受信手段と、
前記２以上のデジタル放送信号ストリームを部分的に差し替えて１ストリームのデジタル放送信号を生成するストリーム差替処理手段と、
前記ストリーム差替処理手段により生成された１ストリームのデジタル放送信号を出力する出力手段とをデジタル放送信号処理装置において用いられるデジタル放送信号処理プログラムであって、
１つのデジタル放送信号ストリームから他のデジタル放送信号ストリームに差し替える際に、当該他のデジタル放送信号ストリームに含まれる画像フレームであって復号時に前記差し替え前のストリーム位置の画像フレームを参照する画像フレームを出力信号から除去して差し替え処理を行うストリーム差替処理ステップを実行することを特徴とするデジタル放送信号処理プログラム。
【請求項５】
前記ストリーム差替処理ステップを実行した後に、
差し替え処理されたデジタル放送信号中の前記１のデジタル放送信号に対して、当該デジタル放送信号に付加された時刻情報を前記他のデジタル放送信号の時刻情報と同一様式の時刻情報に変換する時刻情報変換処理ステップを実行することを特徴とする請求項４に記載のデジタル放送信号処理プログラム。
【請求項６】
前記ストリーム差替処理ステップを実行する前に、
入力された各デジタル放送信号にパケット単位でタイムスタンプを付加するタイムスタンプ付加処理ステップを実行し、
前記ストリーム差替処理ステップを実行した後又は前記時刻情報変換処理ステップを実行した後に、
差し替え処理されたデジタル放送信号に対して、当該デジタル放送信号の各パケットに付加されたタイムスタンプに基づいて各パケットの時間的配置を調整するパケット再配置処理を実行することを特徴とする請求項４又は５に記載のデジタル放送信号処理プログラム。
【発明の詳細な説明】
【技術分野】
【０００１】
本発明は、デジタル放送信号の処理装置及び処理プログラムに関し、特に、複数種類の受信信号を部分的に差し替えて出力するためのデジタル放送信号処理装置及びデジタル放送信号処理プログラムに関するものである。
【背景技術】
【０００２】
従来、地方放送局では、地方局が独自で制作した放送素材（番組、ＣＭその他を言う）と、キー局から伝送される放送素材とを時間帯ごとに編成して放送している。地上アナログ放送等の場合には、放送信号処理装置において、入力される複数種類のアナログ信号を適宜差し替えて出力することで、放送素材の切り替えを行うことができる。出力された放送信号は視聴者に向けて放送される。
【０００３】
一方、デジタル放送においても同様に複数種類の放送素材を用いた番組編成が行われている。デジタル放送の場合には、ＭＰＥＧ−２などで符号化・圧縮された放送信号を用いるため、アナログ放送の場合のように受信信号をそのまま差し替えて出力することはできない。
そこで従来、デジタル放送におけるの放送素材の切り替えは、次のような方法で行われる。
第１の方法としては、放送局間（キー局及び地方局の間）では符号化された放送信号を伝送し、受信局（地方局）にて受信信号を復号化（伸張）し、放送データの差し替えを行った後、再度符号化を行った放送信号を出力する方法がある。
第２の方法としては、放送局間では符号化される前の放送データを伝送し、受信局にて放送データの差し替えを行った後、符号化を行った放送信号を出力する方法がある。
【特許文献１】特開平１１−３４１４９２号公報
【発明の開示】
【発明が解決しようとする課題】
【０００４】
しかしながら、上記の第１の方法では、符号化と復号化を繰り返すことにより放送データが劣化する上に、放送に遅延が生じるという問題点がある。この点、上記の第２の方法では劣化や遅延は生じないが、一方で放送局間で非圧縮の放送データ素材を伝送するための通信コストが増大するという問題点がある。
【０００５】
この他、デジタル放送信号の差し替え処理に関しては、例えば、受信局において送信局からの放送信号の一部を差し替えた後、差し替えられた放送信号の先頭部分と当該差し替え範囲より後ろの位置に、それぞれの符号化形式に関する情報を付加することで、地方局の符号化形式情報を記述し符号化を行うことで、迅速かつ容易な放送信号の差し替えを行う技術が提案されている（特許文献１）。
【０００６】
しかしながら、上記の特許文献１に記載の技術では、送信局と受信局との間で放送信号の差し替えポイントを認知し合う必要があるため、受信局側で任意のタイミングでＭＰＥＧ−２  ＴＳ（Ｔｒａｎｓｐｏｒｔ Ｓｔｒｅａｍ）信号レベルの差し替えを行うことはできない。
【０００７】
本発明は、このような実情に鑑みてなされたものであり、受信局において任意のタイミングで、デジタル放送信号をＭＰＥＧ−２  ＴＳ信号レベルでの差し替えを行うことができるデジタル放送信号処理装置及びデジタル放送信号処理プログラムを提供しようとするものである。
【課題を解決するための手段】
【０００８】
上記課題に鑑み鋭意研究の結果、本発明者らは、デジタル放送信号の差し替えを行う際に、差し替えポイント直後のＧＯＰ中の画像フレームであって復号時に差し替えポイント前のＧＯＰ中の画像フレームを参照しなければならない画像フレームを出力信号から除去することにより、復号化・再符号化することなくデジタル放送信号をＭＰＥＧ−２  ＴＳ信号レベルでの差し替えを行うことができることに想到し、下記発明を成すに至った。
【０００９】
すなわち、本発明は、入力された異なる２以上の符号化されたデジタル放送信号ストリームを部分的に差し替えて１ストリームのデジタル放送信号として出力するデジタル放送信号処理装置であって、１つのデジタル放送信号ストリームから他のデジタル放送信号ストリームに差し替える際に、当該他のデジタル放送信号ストリームに含まれる画像フレームであって復号時に前記差し替え前のストリーム位置の画像フレームを参照する画像フレームを出力信号から除去して差し替え処理を行うストリーム差替処理手段を有することを特徴とするデジタル放送信号処理装置を提供するものである。
【００１０】
本発明のデジタル放送信号処理装置はさらに、前記ストリーム差替処理手段により差し替え処理がされたデジタル放送信号中の前記１のデジタル放送信号に対して、当該デジタル放送信号に付加された時刻情報を前記他のデジタル放送信号の時刻情報と同一様式の時刻情報に変換する時刻情報変換処理手段を有することを特徴とする。
【００１１】
本発明のデジタル放送信号処理装置はさらに、入力された各デジタル放送信号にパケット単位でタイムスタンプを付加するタイムスタンプ付加処理部と、前記ストリーム差替処理手段により差し替え処理がされたデジタル放送信号に対して、当該デジタル放送信号の各パケットに付加されたタイムスタンプに基づいて各パケットの時間的配置を調整するパケット再配置処理手段とを有することを特徴とする。
【００１２】
本発明は、また、異なる２以上の符号化されたデジタル放送信号ストリームを受信する受信手段と、前記２以上のデジタル放送信号ストリームを部分的に差し替えて１ストリームのデジタル放送信号を生成するストリーム差替処理手段と、前記ストリーム差替処理手段により生成された１ストリームのデジタル放送信号を出力する出力手段とをデジタル放送信号処理装置において用いられるデジタル放送信号処理プログラムであって、１つのデジタル放送信号ストリームから他のデジタル放送信号ストリームに差し替える際に、当該他のデジタル放送信号ストリームに含まれる画像フレームであって復号時に前記差し替え前のストリーム位置の画像フレームを参照する画像フレームを出力信号から除去して差し替え処理を行うストリーム差替処理ステップを実行することを特徴とするデジタル放送信号処理プログラムを提供するものである。
【００１３】
本発明のデジタル放送信号処理プログラムはさらに、前記ストリーム差替処理ステップを実行した後に、差し替え処理されたデジタル放送信号中の前記１のデジタル放送信号に対して、当該デジタル放送信号に付加された時刻情報を前記他のデジタル放送信号の時刻情報と同一様式の時刻情報に変換する時刻情報変換処理ステップを実行することを特徴とする。
【００１４】
本発明のデジタル放送信号処理プログラムはさらに、前記ストリーム差替処理ステップを実行する前に、入力された各デジタル放送信号にパケット単位でタイムスタンプを付加するタイムスタンプ付加処理ステップを実行し、前記ストリーム差替処理ステップを実行した後又は前記時刻情報変換処理ステップを実行した後に、差し替え処理されたデジタル放送信号に対して、当該デジタル放送信号の各パケットに付加されたタイムスタンプに基づいて各パケットの時間的配置を調整するパケット再配置処理を実行することを特徴とする。
【発明の効果】
【００１５】
以上説明したように、本発明のデジタル放送信号処理装置及びデジタル放送信号処理プログラムによれば、デジタル放送信号の差し替えを行う際に、差し替えポイント直後のＧＯＰ中の画像フレームであって復号時に差し替えポイント前のＧＯＰ中の画像フレームを参照しなければならない画像フレームを出力信号から除去することにより、復号化・再符号化することなくデジタル放送信号をＭＰＥＧ−２  ＴＳ信号レベルでの差し替えを行うことが可能となっている。
放送局などでは、符号化されたデジタル放送信号からなる放送素材を複号化・再符号化することなく差し替えて放送することができるので、機器数、工数を低減することができ、スペースの確保、ランニングコスト低減、監視対象機器の低減、故障率の向上が期待できる。
【発明を実施するための最良の形態】
【００１６】
以下、添付図面を参照しながら、本発明のデジタル放送信号処理装置及びデジタル放送信号処理プログラムを実施するための最良の形態を詳細に説明する。図１〜図１２は、本発明の実施の形態を例示する図であり、これらの図において、同一の符号を付した部分は同一物を表わし、基本的な構成及び動作は同様であるものとする。
【００１７】
＜構成＞
本発明の一実施形態に係るデジタル放送信号処理装置の構成について図を参照して説明する。
図１は、本実施形態のデジタル放送信号処理装置の内部構成を概略的に示す図である。
図１において、本実施形態のデジタル放送信号処理装置は、受信信号に含まれるＭＰＥＧ−２  ＴＳパケットにタイムスタンプを付加してＴＴＳ（Ｔｉｍｅｓｔａｍｐｅｄ ＴＳ）パケット化するＴＴＳ化部１１０、ＭＰＥＧ−２  ＴＳパケットのデータ部であるＥＳ（Ｅｌｅｍｅｎｔａｒｙ Ｓｔｒｅａｍ）部を差し替えるＥＳ差替部１１１、ＭＰＥＧ−２  ＴＳパケットのＥＳ部の差し替えに応じて一方のＥＳ部の時刻情報を他方に合致するよう変換する時刻情報変換処理部１１２、差し替えられたＭＰＥＧ−２  ＴＳパケットを所定の時間的位置に配置して出力パケットを構成するＴＳ配置部１１３を有している。また、本実施形態のデジタル放送信号処理装置は、ＣＰＵ、ＲＡＭ、ＲＯＭその他の記憶部、Ｉ／Ｏ部を有している。
【００１８】
＜動作＞
図１に示すように構成されたデジタル放送信号処理装置１００において、入力された２種類のデジタル放送信号（ＭＰＥＧ−２  ＴＳ信号）は、復号化・再符号化されることなく、適宜部分的に差し替えられて１種類のデジタル放送信号として出力される。
以下、デジタル放送信号処理装置１００における各機能部の処理の詳細について説明する。
【００１９】
図２は、デジタル放送信号処理装置１００の全体的な動作の概略を示すシーケンス図である。
図２に示すように、デジタル放送信号処理装置１００は、入力されたデジタル放送信号に対して、ＴＴＳ化部１１０によるＴＴＳ化処理、ＥＳ差替部１１１によるＥＳ差し替え処理、時刻情報変換処理部１１２による時刻情報変換処理、ＴＳ配置部１１３によるＴＳ配置処理を順次行って得られた信号を、差し替えられたデジタル放送信号として出力する。
【００２０】
図３Ａは、デジタル放送信号処理装置１００のＴＴＳ化部１１０によるＴＴＳ化処理の概要を示す図である。図示するように、入力信号であるＭＰＥＧ−２  ＴＳは、ＴＳパケットの間に送信側基準時刻情報を含むＰＣＲ（Program Clock Reference）パケットが挿入されたストリームとして構成されているので、隣り合うＰＣＲパケットの送信間隔（Δｔ１）と、そこに含まれるＴＳパケットの個数（Ｎ）をカウントすることにより、ＭＰＥＧ−２  ＴＳの伝送速度を算出することができる。
【００２１】
図３Ｂは、ＴＴＳ化部１１０が行う処理の流れを詳細に示すフロー図である。
図３Ｂにおいて、ＴＴＳ化部１１０は、Ｉ／Ｏ部を通じてＭＰＥＧ−２  ＴＳ入力信号を受信する（ステップＳ３０１）。受信したＭＰＥＧ−２  ＴＳパケット中のＰＣＲパケットを検索（ステップＳ３０２）し、発見されたＭＰＥＧ−２  ＴＳ内のＰＣＲパケット間に配置されたＴＳパケット数からＭＰＥＧ−２  ＴＳの伝送速度を算出し（ステップＳ３０３）、各パケットの先頭にカウンタ値を付加する処理を行う（ステップＳ３０４）。以上の処理を次のＭＰＥＧ−２  ＴＳパケットが存在しなくなるまで反復して実行する（ステップＳ３０５）。
【００２２】
図４は、デジタル放送信号処理装置１００のＥＳ差替部１１１によるＥＳ差し替え処理の概要を示す図である。図示するように、ＭＰＥＧ−２  ＴＳパケットは、シーケンスヘッダ（ＳＨ）と画像フレーム群からなるＧＯＰ（Ｇｒｏｕｐ Ｏｆ Ｐｉｃｔｕｒｅｓ）とを含んでいる。尚、ＧＯＰはＭＰＥＧ−２  ＴＳから復号化・再符号化なしに切り出しできるデータの最小単位である。したがって、ＥＳ差し替え処理では、差替信号が発せられると、シーケンスヘッダ及びＧＯＰ単位からなるパケット単位で信号の差し替えを行う。
【００２３】
続いて、ＧＯＰにおける画像フレームの相互参照について説明する。
ＧＯＰには、オープンＧＯＰとクローズドＧＯＰの２種類が存在する。オープンＧＯＰでは隣り合う画像フレームを参照しながら映像が再生されるのに対して、クローズドＧＯＰではそれぞれのＧＯＰが他のＧＯＰを参照することなく映像の再生が可能である。
【００２４】
図５は、オープンＧＯＰにおける画像フレームの参照方法を概略的に示す図である。
オープンＧＯＰを構成する画像フレームには、Ｉフレーム、Ｐフレーム、Ｂフレームの３種類が存在する。Ｉフレームは通常の画像フレームであり、再生にあたって他のフレームを参照する必要はない。Ｐフレームは、前のＩフレーム又はＰフレームとの差分を記録した画像フレームであり、再生にあたって前のＩフレーム又はＰフレームを参照する必要がある。Ｂフレームは、前後のＩフレーム又はＰフレームとの差分を記録した画像フレームであり、再生にあたって前後（の一方又は両方）のＩフレーム、Ｐフレーム又はＢフレームを参照する必要がある。
【００２５】
図５の上段に例示するフレーム群では、Ｐ０４フレームは前のＰ０３フレームを、Ｐ０５フレームは前のＩ０２フレームを参照し、Ｂ０９フレームは前のＰ０３フレーム及び後のＰ０４フレームを参照し、Ｂ１０フレームは前のＰ０３フレーム及び後のＰ０４フレームを参照し、Ｂ１１フレームは前のＰ０４フレーム及び後のＩ０２フレームを参照し、Ｂ１２フレームは前のＰ０４フレーム及び後のＩ０２フレームを参照し、Ｂ１３フレームは前のＩ０２フレーム及び後のＰ０５フレームを参照し、Ｂ１４フレームは前のＩ０２フレーム及び後のＰ０５フレームを参照する。
また、図５の下段に示すように、ＭＰＥＧ−２において出力される信号では、ＧＯＰは実際の再生順序とは異なるフレーム配列となっている。これは、Ｂフレームの双方向参照の特性によるものであり、例えば、図５下段の出力信号列においてはＢ９、Ｂ１０フレームの再生のために、Ｐ０４フレームがこれらよりも前に配置されている。尚、これらフレームの並べ替えはＰＴＳ／ＤＴＳ等の時刻情報を参照して行うことができる。
【００２６】
図６は、デジタル放送信号処理装置１００のＥＳ差替部１１１によるＥＳ差し替え処理におけるＧＯＰ画像フレーム単位の調整方法を概略的に示す図である。
図６において、第１ＧＯＰと第２ＧＯＰとの間でＥＳ差し替え処理を行う場合について説明する。尚、本例における入力信号列１、２は図５に示したのと同じ信号列である。
図６の上段に示すように、従来のＥＳ差し替え処理方式では、入力信号列１から入力信号列２に差し替えた直後の第２ＧＯＰにおけるＢ１１’フレーム及びＢ１２’フレームが、その前の第１ＧＯＰに属するＰ０４フレームを参照して復号化されることになるため、ブロックノイズやブラックアウトなどが生じてしまう。
【００２７】
そこで、本発明ではこのような問題点を解消すべく、デジタル放送信号処理装置１００のＥＳ差替部１１１において、差し替え処理直後のＧＯＰ内で差し替え前のＧＯＰの画像フレームを参照してしまう画像フレーム、すなわち図６の例ではＢ１１’フレーム及びＢ１２’フレームを出力信号から取り除く処理を行うこととしている。これにより、差し替え処理前後に画像の乱れなどが生じることなく、スムーズに差し替え処理を行うことが可能である。
【００２８】
図７は、デジタル放送信号処理装置１００のＥＳ差替部１１１が行う処理の流れを詳細に示すフロー図である。
まず、デジタル放送信号処理装置１００のＥＳ差替部１１１は、ＴＴＳ化部からＭＰＥＧ−２  ＴＳパケット入力１と入力２とを常時受信しており（ステップＳ７０１）、これらＭＰＥＧ−２  ＴＳパケットに含まれるシーケンスヘッダを常時検索している（ステップＳ７０２）。ここで、ＥＳの差し替えを指示する差替信号が発せられると、その直後のシーケンスヘッダとこれに続くＧＯＰから差し替えを行う（ステップＳ７０３）。
【００２９】
続いて、ＥＳ差替部１１１は、差し替え処理直後のＧＯＰ中のＩフレームに続くＢフレームを検索し（ステップＳ７０４）、検索されたＢフレームのＰＴＳの値が参照先の画像フレームＰＴＳの値より小さい場合（つまり前方向を参照する場合）には（ステップＳ７０５）、当該Ｂフレームを出力信号から取り除く処理を行う（ステップＳ７０６）。一方、検索されたＢフレームが前方向を参照するものではない場は、そのまま出力を行う（ステップＳ７０７）。
ＴＴＳ化部からＭＰＥＧ−２  ＴＳパケットの出力中に次の差替信号が発せられた場合には、ステップＳ７０２からの処理を繰り返す（ステップＳ７０８）。
次の差替信号がない場合には、差し替え処理されたデータを出力する（ステップＳ７０９）。
【００３０】
図８Ａは、デジタル放送信号処理装置１００の時刻情報変換処理部１１２による時刻情報変換処理の概要を示す図である。
図８Ａに示すように、入力信号１と入力信号２に付されたＰＴＳ／ＤＴＳなどの時刻情報は必ずしも同期されているものではない。ＥＳ差し替えにより異なる時刻情報が付加されたＭＰＥＧ−２ＴＳパケットが混在すると、受信機側にて時刻情報が乱れを修正するため時刻情報の再取得を行うなどして、映像・音声が乱れてしてしまう。
そこで、デジタル放送信号処理装置１００では、時刻情報変換処理部１１２において、いずれか一方の入力信号（図の例では入力信号１）の基準に合致するよう他方の入力信号の時刻情報を書き換える処理を行う。
【００３１】
図８Ｂは、時刻情報変換処理部１１２が行う処理の流れを詳細に示すフロー図である。
図８Ｂにおいて、時刻情報変換処理部１１２は、ＥＳ差替部１１１からＭＰＥＧ−２  ＴＳパケットを受信し（ステップＳ８０１）、ＭＰＥＧ−２ＴＳパケット中のＰＥＳヘッダに付加されたＰＴＳ／ＤＴＳを検索し（ステップＳ８０２）、基準とする入力信号以外の入力信号のＰＴＳ／ＤＴＳについては基準とする入力信号のＰＴＳ／ＤＴＳに合致するよう時刻情報の書き換えを行う（ステップＳ８０３）。
以上の処理を、ＭＰＥＧ−２  ＴＳパケット単位で繰り返す（ステップＳ８０４）。
【００３２】
図９Ａは、デジタル放送信号処理装置１００のＴＳ配置部１１３によるＴＳ配置処理の概要を示す図である。
ＴＳ配置部１１３では、ＴＴＳ化部１１０により各ＭＰＥＧ−２ＴＳパケットに付加されたＴＴＳカウンタ値に基づき、差替え対象となるパケット（Pkt01,03,06）のＴＴＳの間隔を判断し、その間隔にもっとも近いポイント（Δt1≒Δt1’、 Δt2≒Δt2’）に差替え対象となるパケット（Pkt11にPkt01を、Pkt14にPkt03を、Pkt18にPkt06をそれぞれ配置）を配置する。こうすることにより、入力されたパケットに極めて近い間隔でのパケット出力が可能となる。
【００３３】
図９Ｂは、デジタル放送信号処理装置１００のＴＳ配置部１１３が行う処理の流れを詳細に示すフロー図である。
図９Ｂにおいて、ＴＳ配置部１１３は、時刻情報変換処理部１１２からＭＰＥＧ−２  ＴＳパケットを受信し（ステップＳ９０１）、差替え対象となるＭＰＥＧ−２  ＴＳパケットに付加されたＴＴＳカウンタ値を検索し（ステップＳ９０２）、入力されたＴＴＳの間隔を基に、入力されたパケットに対して近い間隔でパケットの配置を行う（ステップＳ９０３）。
以上の処理を、ＭＰＥＧ−２  ＴＳパケット単位で繰り返す（ステップＳ９０４）。
ＴＳ配置部１１３によりＴＳ配置処理されたＭＰＥＧ−２  ＴＳがデジタル放送信号処理装置１００からの出力信号として出力される。
【００３４】
以上、本発明のデジタル放送信号処理装置及びデジタル放送信号処理プログラムについて、具体的な実施の形態を示して説明したが、本発明はこれらに限定されるものではない。当業者であれば、本発明の要旨を逸脱しない範囲内において、上記各実施形態における各処理部の構成及び機能に様々な変更・改良を加えることが可能である。
【産業上の利用可能性】
【００３５】
本発明のデジタル放送信号処理装置及びデジタル放送信号処理プログラムは、図１に示すように、コンピュータのＣＰＵ、メモリ、補助記憶装置、入出力デバイス等のハードウェア資源上に構築されたソフトウェアによって実現されるものであり、複数種類のデジタル放送信号の差し替え処理という情報処理が、上記のハードウェア資源を図２〜図９Ｂに示すように動作させることによって実現されるものであるから、自然法則を利用した技術的思想に該当し、産業上利用することが可能な発明である。
【図面の簡単な説明】
【００３６】
【図１】本発明の一実施形態に係るデジタル放送信号処理装置内部構成を概略的に示す図である。
【図２】図１に示すデジタル放送信号処理装置の全体的な動作の概略を示すシーケンス図である。
【図３Ａ】図１に示すデジタル放送信号処理装置のＴＴＳ化部によるＴＴＳ化処理の概要を示す図である。
【図３Ｂ】図１に示すデジタル放送信号処理装置のＴＴＳ化部が行う処理の流れを詳細に示すフロー図である。
【図４】図１に示すデジタル放送信号処理装置のＥＳ差替部によるＥＳ差し替え処理の概要を示す図である。
【図５】オープンＧＯＰにおける画像フレームの参照方法を概略的に示す図である。
【図６】図１に示すデジタル放送信号処理装置のＥＳ差替部によるＥＳ差し替え処理におけるＧＯＰ画像フレーム単位の調整方法を概略的に示す図である。
【図７】図１に示すデジタル放送信号処理装置のＥＳ差替部が行う処理の流れを詳細に示すフロー図である。
【図８Ａ】図１に示すデジタル放送信号処理装置の時刻情報変換処理部による時刻情報変換処理の概要を示す図である。
【図８Ｂ】図１に示すデジタル放送信号処理装置の時刻情報変換処理部が行う処理の流れを詳細に示すフロー図である。
【図９Ａ】図１に示すデジタル放送信号処理装置のＴＳ配置部によるＴＳ配置処理の概要を示す図である。
【図９Ｂ】図１に示すデジタル放送信号処理装置のＴＳ配置部が行う処理の流れを詳細に示すフロー図である。
【符号の説明】
【００３７】
１００  デジタル放送信号処理装置
１１０  ＴＴＳ化部
１１１  ＥＳ差替部
１１２  時刻情報変換処理部
１１３  ＴＳ配置部
【図１】
2010135990.tif 000003
【図２】
2010135990.tif 000004
【図３Ａ】
2010135990.tif 000005
【図３Ｂ】
2010135990.tif 000006
【図４】
2010135990.tif 000007
【図５】
2010135990.tif 000008
【図６】
2010135990.tif 000009
【図７】
2010135990.tif 000010
【図８Ａ】
2010135990.tif 000011
【図８Ｂ】
2010135990.tif 000012
【図９Ａ】
2010135990.tif 000013
【図９Ｂ】
2010135990.tif 000014